(57)【要約】【課題】電子付箋が表示された第１の表示画面が第２の表示画面へと遷移する際に、当該電子付箋と第２の表示画面内の所定の要素とが第２の表示画面において重なることに起因する操作性の低下を回避することが可能な技術を提供する。【解決手段】電子付箋が第２の表示画面（遷移後画面）において第１の表示画面（遷移前画面）での表示位置と同じ位置に表示されると仮定する場合に当該電子付箋と遷移後画面内のボタンとが重なるか否か、が判定される（Ｓ１２）。そして、遷移後画面において、遷移後画面内のボタンと重なる旨が判定された電子付箋は表示されず、遷移後画面内のボタンと重ならないように付箋ボタンが表示される（Ｓ１６）。【選択図】図１０
2015184893.tif 000002
【特許請求の範囲】
【請求項１】
画像形成装置であって、
第１の表示画面と第２の表示画面とを含む複数の表示画面を選択的に表示することが可能な表示手段と、
前記第１の表示画面において電子付箋を表示するとともに、前記第１の表示画面とは異なる前記第２の表示画面の表示動作を制御する表示制御手段と、
前記電子付箋が前記第２の表示画面において前記第１の表示画面での表示位置と同じ位置に表示されると仮定する場合に前記第２の表示画面内の特定要素であって操作入力要素と情報表示要素とのうちの少なくとも一方の要素である特定要素と前記電子付箋とが重なるか否か、を判定する判定手段と、
を備え、
前記表示制御手段は、前記第１の表示画面が前記第２の表示画面へと遷移する際において、前記第２の表示画面内の前記特定要素に重なる旨が判定された前記電子付箋である第１の付箋を前記第２の表示画面において表示せず、前記第１の付箋に関する表示指示を受け付ける付箋ボタンであって前記第１の付箋の表示面積よりも小さい表示面積を有する付箋ボタンを、前記第２の表示画面内の前記特定要素と重ならないように前記第２の表示画面において表示することを特徴とする画像形成装置。
【請求項２】
請求項１に記載の画像形成装置において、
前記表示制御手段は、前記第１の表示画面が前記第２の表示画面へと遷移する際において、前記第２の表示画面内の前記特定要素に重ならない旨が判定された前記電子付箋である第２の付箋を、前記第２の表示画面において、前記第１の表示画面における前記第２の付箋の表示位置に表示することを特徴とする画像形成装置。
【請求項３】
請求項１または請求項２に記載の画像形成装置において、
前記表示制御手段は、複数の電子付箋と前記第２の表示画面内の前記特定要素とが重なる旨が前記判定手段によって判定される場合には、前記第２の表示画面において、前記第２の表示画面内の前記特定要素に重なる旨が判定された前記複数の電子付箋を表示せず、且つ、前記複数の電子付箋に関する表示指示を受け付ける単一の付箋ボタンであって前記複数の電子付箋の各表示面積のいずれかよりも小さい表示面積を有する単一の付箋ボタンを、前記第２の表示画面内の前記特定要素に重ならないように表示することを特徴とする画像形成装置。
【請求項４】
請求項３に記載の画像形成装置において、
前記表示制御手段は、操作者による前記単一の付箋ボタンの押下操作が受け付けられると、前記第２の表示画面内の前記特定要素と重なる旨が判定され非表示状態にされていた前記複数の電子付箋を、前記第２の表示画面において、前記第１の表示画面における当該複数の電子付箋のそれぞれの表示位置に表示することを特徴とする画像形成装置。
【請求項５】
請求項３に記載の画像形成装置において、
前記表示制御手段は、操作者による前記単一の付箋ボタンの押下操作が受け付けられると、前記第２の表示画面内の前記特定要素と重なる旨が判定され非表示状態にされていた前記複数の電子付箋に関する一覧画面を表示することを特徴とする画像形成装置。
【請求項６】
請求項３ないし請求項５のいずれかに記載の画像形成装置において、
前記表示制御手段は、前記第２の表示画面内の前記特定要素と重なる旨が判定された前記複数の電子付箋の個数を前記単一の付箋ボタンの表示領域内に表示することを特徴とする画像形成装置。
【請求項７】
請求項１に記載の画像形成装置において、
前記表示制御手段は、操作者による前記付箋ボタンの押下操作が受け付けられると、前記第２の表示画面内の前記特定要素と重なる旨が判定され非表示状態にされていた前記第１の付箋を、前記第２の表示画面において、前記第１の表示画面における当該第１の付箋の表示位置に表示することを特徴とする画像形成装置。
【請求項８】
請求項１に記載の画像形成装置において、
前記表示制御手段は、操作者による前記付箋ボタンの押下操作が操作者から受け付けられると、前記第２の表示画面内の前記特定要素と重なる旨が判定され非表示状態にされていた前記第１の付箋に関する一覧画面を表示することを特徴とする画像形成装置。
【請求項９】
画像形成装置に内蔵されたコンピュータに、
ａ）前記画像形成装置の表示手段に表示される第１の表示画面において電子付箋を表示するステップと、
ｂ）前記第１の表示画面とは異なる第２の表示画面において前記電子付箋が前記第１の表示画面での表示位置と同じ位置に表示されると仮定する場合に前記第２の表示画面内の特定要素であって操作入力要素と情報表示要素とのうちの少なくとも一方の要素である特定要素と前記電子付箋とが重なるか否か、を判定するステップと、
ｃ）前記第１の表示画面に代えて前記第２の表示画面を表示するステップと、
を実行させるためのプログラムであって、
前記ステップｃ）においては、前記第１の表示画面が前記第２の表示画面へと遷移する際において、前記第２の表示画面内の前記特定要素に重なる旨が判定された前記電子付箋である第１の付箋は前記第２の表示画面において表示されず、前記第１の付箋に関する表示指示を受け付ける付箋ボタンであって前記第１の付箋の表示面積よりも小さい表示面積を有する付箋ボタンが、前記第２の表示画面内の前記特定要素と重ならないように前記第２の表示画面において表示されることを特徴とするプログラム。
【請求項１０】
画像形成装置であって、
第１の表示画面と第２の表示画面とを含む複数の表示画面を選択的に表示することが可能な表示手段と、
前記第１の表示画面において電子付箋を表示するとともに、前記第１の表示画面とは異なる前記第２の表示画面の表示動作を制御する表示制御手段と、
前記電子付箋が前記第２の表示画面において前記第１の表示画面での表示位置と同じ位置に表示されると仮定する場合に前記第２の表示画面内の特定要素であって操作入力要素と情報表示要素とのうちの少なくとも一方の要素である特定要素と前記電子付箋とが重なるか否か、を判定する判定手段と、
を備え、
前記表示制御手段は、前記第１の表示画面が前記第２の表示画面へと遷移する際において、前記第２の表示画面内の前記特定要素に重なる旨が判定された前記電子付箋を縮小し、前記第２の表示画面において、縮小された前記電子付箋を前記第２の表示画面内の前記特定要素と重ならないように表示することを特徴とする画像形成装置。
【請求項１１】
画像形成装置に内蔵されたコンピュータに、
ａ）前記画像形成装置の表示手段に表示される第１の表示画面において電子付箋を表示するステップと、
ｂ）前記第１の表示画面とは異なる第２の表示画面において前記電子付箋が前記第１の表示画面での表示位置と同じ位置に表示されると仮定する場合に前記第２の表示画面内の特定要素であって操作入力要素と情報表示要素とのうちの少なくとも一方の要素である特定要素と前記電子付箋とが重なるか否か、を判定するステップと、
ｃ）前記第１の表示画面に代えて前記第２の表示画面を表示するステップと、
を実行させるためのプログラムであって、
前記ステップｃ）においては、前記第１の表示画面が前記第２の表示画面へと遷移する際において、前記第２の表示画面内の前記特定要素に重なる旨が判定された前記電子付箋が縮小され、前記第２の表示画面において、縮小された前記電子付箋が前記第２の表示画面内の前記特定要素と重ならないように表示されることを特徴とするプログラム。
【発明の詳細な説明】
【技術分野】
【０００１】
本発明は、ＭＦＰ（マルチ・ファンクション・ペリフェラル（Multi-Functional Peripheral））等の画像形成装置およびそれに関連する技術に関する。
【背景技術】
【０００２】
画像形成装置の操作画面において電子付箋を表示する技術が存在する。
【０００３】
たとえば、特許文献１においては、操作画面の画面コードに対応付けられたメッセージが、操作画面上の設定した位置に付箋画像として表示される。これにより、ユーザは、各種操作画面に対する補助的な操作指示、注意喚起、備忘録等の伝達情報を付箋画像（電子付箋）として操作画面上に表示させることが可能である。
【先行技術文献】
【特許文献】
【０００４】
【特許文献１】特開２００６−１３９１８６号公報
【発明の概要】
【発明が解決しようとする課題】
【０００５】
ところで、電子付箋の表示の際には、或る表示画面（第１の表示画面）において表示された電子付箋を別の表示画面（第２の表示画面）においても引き続き表示させることをユーザが希望することが考えられる。たとえば、節電を促すメッセージが入力された電子付箋は、多数の画面において表示されることが好ましい。
【０００６】
しかしながら、仮に、多数の表示画面において同一の電子付箋を同様に表示させる場合には、電子付箋が表示されていた第１の表示画面が第２の表示画面へと遷移した際に、第２の表示画面において、当該電子付箋は、第１の表示画面における電子付箋の表示位置に引き続き表示される。そのため、第２の表示画面において、当該電子付箋と第２の表示画面内の或る要素（たとえば、ボタンあるいは文字列）とが重なる可能性がある。その結果、第２の表示画面において、ボタンを押下し難い、あるいは文字列を視認し難い等、ユーザの操作性が低下するという問題が発生し得る。
【０００７】
そこで、この発明は、電子付箋が表示された第１の表示画面が第２の表示画面へと遷移する際に、当該電子付箋と第２の表示画面内の所定の要素とが第２の表示画面において重なることに起因する操作性の低下を回避することが可能な技術を提供することを課題とする。
【課題を解決するための手段】
【０００８】
上記課題を解決すべく、請求項１の発明は、画像形成装置であって、第１の表示画面と第２の表示画面とを含む複数の表示画面を選択的に表示することが可能な表示手段と、前記第１の表示画面において電子付箋を表示するとともに、前記第１の表示画面とは異なる前記第２の表示画面の表示動作を制御する表示制御手段と、前記電子付箋が前記第２の表示画面において前記第１の表示画面での表示位置と同じ位置に表示されると仮定する場合に前記第２の表示画面内の特定要素であって操作入力要素と情報表示要素とのうちの少なくとも一方の要素である特定要素と前記電子付箋とが重なるか否か、を判定する判定手段と、を備え、前記表示制御手段は、前記第１の表示画面が前記第２の表示画面へと遷移する際において、前記第２の表示画面内の前記特定要素に重なる旨が判定された前記電子付箋である第１の付箋を前記第２の表示画面において表示せず、前記第１の付箋に関する表示指示を受け付ける付箋ボタンであって前記第１の付箋の表示面積よりも小さい表示面積を有する付箋ボタンを、前記第２の表示画面内の前記特定要素と重ならないように前記第２の表示画面において表示することを特徴とする。
【０００９】
請求項２の発明は、請求項１の発明に係る画像形成装置において、前記表示制御手段は、前記第１の表示画面が前記第２の表示画面へと遷移する際において、前記第２の表示画面内の前記特定要素に重ならない旨が判定された前記電子付箋である第２の付箋を、前記第２の表示画面において、前記第１の表示画面における前記第２の付箋の表示位置に表示することを特徴とする。
【００１０】
請求項３の発明は、請求項１または請求項２の発明に係る画像形成装置において、前記表示制御手段は、複数の電子付箋と前記第２の表示画面内の前記特定要素とが重なる旨が前記判定手段によって判定される場合には、前記第２の表示画面において、前記第２の表示画面内の前記特定要素に重なる旨が判定された前記複数の電子付箋を表示せず、且つ、前記複数の電子付箋に関する表示指示を受け付ける単一の付箋ボタンであって前記複数の電子付箋の各表示面積のいずれかよりも小さい表示面積を有する単一の付箋ボタンを、前記第２の表示画面内の前記特定要素に重ならないように表示することを特徴とする。
【００１１】
請求項４の発明は、請求項３の発明に係る画像形成装置において、前記表示制御手段は、操作者による前記単一の付箋ボタンの押下操作が受け付けられると、前記第２の表示画面内の前記特定要素と重なる旨が判定され非表示状態にされていた前記複数の電子付箋を、前記第２の表示画面において、前記第１の表示画面における当該複数の電子付箋のそれぞれの表示位置に表示することを特徴とする。
【００１２】
請求項５の発明は、請求項３の発明に係る画像形成装置において、前記表示制御手段は、操作者による前記単一の付箋ボタンの押下操作が受け付けられると、前記第２の表示画面内の前記特定要素と重なる旨が判定され非表示状態にされていた前記複数の電子付箋に関する一覧画面を表示することを特徴とする。
【００１３】
請求項６の発明は、請求項３ないし請求項５のいずれかの発明に係る画像形成装置において、前記表示制御手段は、前記第２の表示画面内の前記特定要素と重なる旨が判定された前記複数の電子付箋の個数を前記単一の付箋ボタンの表示領域内に表示することを特徴とする。
【００１４】
請求項７の発明は、請求項１の発明に係る画像形成装置において、前記表示制御手段は、操作者による前記付箋ボタンの押下操作が受け付けられると、前記第２の表示画面内の前記特定要素と重なる旨が判定され非表示状態にされていた前記第１の付箋を、前記第２の表示画面において、前記第１の表示画面における当該第１の付箋の表示位置に表示することを特徴とする。
【００１５】
請求項８の発明は、請求項１の発明に係る画像形成装置において、前記表示制御手段は、操作者による前記付箋ボタンの押下操作が操作者から受け付けられると、前記第２の表示画面内の前記特定要素と重なる旨が判定され非表示状態にされていた前記第１の付箋に関する一覧画面を表示することを特徴とする。
【００１６】
請求項９の発明は、画像形成装置に内蔵されたコンピュータに、ａ）前記画像形成装置の表示手段に表示される第１の表示画面において電子付箋を表示するステップと、ｂ）前記第１の表示画面とは異なる第２の表示画面において前記電子付箋が前記第１の表示画面での表示位置と同じ位置に表示されると仮定する場合に前記第２の表示画面内の特定要素であって操作入力要素と情報表示要素とのうちの少なくとも一方の要素である特定要素と前記電子付箋とが重なるか否か、を判定するステップと、ｃ）前記第１の表示画面に代えて前記第２の表示画面を表示するステップと、を実行させるためのプログラムであって、前記ステップｃ）においては、前記第１の表示画面が前記第２の表示画面へと遷移する際において、前記第２の表示画面内の前記特定要素に重なる旨が判定された前記電子付箋である第１の付箋は前記第２の表示画面において表示されず、前記第１の付箋に関する表示指示を受け付ける付箋ボタンであって前記第１の付箋の表示面積よりも小さい表示面積を有する付箋ボタンが、前記第２の表示画面内の前記特定要素と重ならないように前記第２の表示画面において表示されることを特徴とする。
【００１７】
請求項１０の発明は、画像形成装置であって、第１の表示画面と第２の表示画面とを含む複数の表示画面を選択的に表示することが可能な表示手段と、前記第１の表示画面において電子付箋を表示するとともに、前記第１の表示画面とは異なる前記第２の表示画面の表示動作を制御する表示制御手段と、前記電子付箋が前記第２の表示画面において前記第１の表示画面での表示位置と同じ位置に表示されると仮定する場合に前記第２の表示画面内の特定要素であって操作入力要素と情報表示要素とのうちの少なくとも一方の要素である特定要素と前記電子付箋とが重なるか否か、を判定する判定手段と、を備え、前記表示制御手段は、前記第１の表示画面が前記第２の表示画面へと遷移する際において、前記第２の表示画面内の前記特定要素に重なる旨が判定された前記電子付箋を縮小し、前記第２の表示画面において、縮小された前記電子付箋を前記第２の表示画面内の前記特定要素と重ならないように表示することを特徴とする。
【００１８】
請求項１１の発明は、画像形成装置に内蔵されたコンピュータに、ａ）前記画像形成装置の表示手段に表示される第１の表示画面において電子付箋を表示するステップと、ｂ）前記第１の表示画面とは異なる第２の表示画面において前記電子付箋が前記第１の表示画面での表示位置と同じ位置に表示されると仮定する場合に前記第２の表示画面内の特定要素であって操作入力要素と情報表示要素とのうちの少なくとも一方の要素である特定要素と前記電子付箋とが重なるか否か、を判定するステップと、ｃ）前記第１の表示画面に代えて前記第２の表示画面を表示するステップと、を実行させるためのプログラムであって、前記ステップｃ）においては、前記第１の表示画面が前記第２の表示画面へと遷移する際において、前記第２の表示画面内の前記特定要素に重なる旨が判定された前記電子付箋が縮小され、前記第２の表示画面において、縮小された前記電子付箋が前記第２の表示画面内の前記特定要素と重ならないように表示されることを特徴とする。
【発明の効果】
【００１９】
請求項１ないし請求項１１に記載の発明によれば、電子付箋が表示された第１の表示画面が第２の表示画面へと遷移する際に、当該電子付箋と第２の表示画面内の所定の要素とが第２の表示画面において重なることに起因する操作性の低下を回避することが可能である。
【図面の簡単な説明】
【００２０】
【図１】ＭＦＰ（画像形成装置）の外観を示す図である。
【図２】ＭＦＰの機能ブロックを示す図である。
【図３】トップメニュー画面を示す図である。
【図４】付箋設定画面を示す図である。
【図５】電子付箋の新規登録画面を示す図である。
【図６】新たな電子付箋が登録された付箋設定画面を示す図である。
【図７】新たな電子付箋が表示されたトップメニュー画面を示す図である。
【図８】電子付箋のドラッグアンドドロップ操作の様子を示す図である。
【図９】新たな電子付箋が表示されたトップメニュー画面を示す図である。
【図１０】第１実施形態に係る画像形成装置の動作を示すフローチャートである。
【図１１】遷移前画面から遷移後画面への仮想的な画面遷移状態を示す図である。
【図１２】電子付箋が仮想的に配置される様子を示す図である。
【図１３】設定画面を示す図である。
【図１４】付箋ボタンの押下操作により非表示対象付箋が再表示される様子を示す図である。
【図１５】第２実施形態に係る画像形成装置の動作を示すフローチャートである。
【図１６】トップメニュー画面を示す図である。
【図１７】検索画面を示す図である。
【図１８】検索結果画面を示す図である。
【図１９】遷移前画面から遷移後画面への仮想的な画面遷移状態を示す図である。
【図２０】変形例に係る表示画面を示す図である。
【図２１】変形例に係る表示画面を示す図である。
【図２２】変形例に係る表示画面を示す図である。
【図２３】非表示対象付箋に関する一覧画面を示す図である。
【図２４】変形例に係る表示画面を示す図である。
【発明を実施するための形態】
【００２１】
以下、本発明の実施形態を図面に基づいて説明する。
【００２２】
＜１．第１実施形態＞
＜１−１．構成概要＞
図１は、画像形成装置１０の外観を示す図であり、図２は、画像形成装置１０の機能ブロックを示す図である。ここでは、画像形成装置１０として、ＭＦＰ（マルチ・ファンクション・ペリフェラル（Multi-Functional Peripheral））を例示する。
【００２３】
ＭＦＰ１０は、スキャン機能、コピー機能、ファクシミリ機能およびボックス格納機能などを備える装置（複合機とも称する）である。具体的には、ＭＦＰ１０は、図２の機能ブロック図に示すように、画像読取部２、印刷出力部３、通信部４、格納部５、操作部６およびコントローラ９等を備えており、これらの各部を複合的に動作させることによって、各種の機能を実現する。
【００２４】
画像読取部（スキャン部とも称される）２は、ＭＦＰ１０の所定の位置に載置された原稿を光学的に読み取って（すなわちスキャンして）、当該原稿の画像データ（原稿画像ないしスキャン画像とも称する）を生成する処理部である。
【００２５】
印刷出力部３は、印刷対象に関するデータに基づいて紙などの各種の媒体に画像を印刷出力する出力部である。
【００２６】
通信部４は、公衆回線等を介したファクシミリ通信を行うことが可能な処理部である。さらに、通信部４は、ネットワークを介したネットワーク通信を行うことも可能である。このネットワーク通信では、たとえば、ＴＣＰ／ＩＰ（Transmission Control Protocol / Internet Protocol）等の各種のプロトコルが利用される。当該ネットワーク通信を利用することによって、ＭＦＰ１０は、所望の相手先との間で各種のデータを授受することが可能である。通信部４は、各種データを送信する送信部４ａと各種データを受信する受信部４ｂとを有する。
【００２７】
格納部５は、ハードディスクドライブ（ＨＤＤ）等の記憶装置で構成される。格納部５は、各操作画面の画像データ等を記憶する。また、格納部５は、電子付箋に関する情報（メッセージのテキスト情報等）をも記憶する。
【００２８】
操作部６は、ＭＦＰ１０に対する操作入力を受け付ける操作入力部６ａと、各種情報の表示出力を行う表示部６ｂとを備えている。
【００２９】
このＭＦＰ１０においては、略板状の操作パネル部６ｃ（図１参照）が設けられている。また、操作パネル部６ｃは、その正面側にタッチパネル２５（図１参照）を有している。タッチパネル２５は、操作入力部６ａの一部としても機能するとともに、表示部６ｂの一部としても機能する。タッチパネル２５は、液晶表示パネルに圧電センサ等が埋め込まれて構成され、各種情報を表示するとともに操作者による操作入力（ボタンの押下操作、ドラッグアンドドロップ操作等）を受け付けることが可能である。また、表示部６ｂは、タッチパネル２５に表示される表示画面を選択的に切り換えて表示する。
【００３０】
たとえば、タッチパネル２５においては、メニュー画像（ボタン画像等を含む）が表示される。タッチパネル２５内に仮想的に配置されるボタン（ボタン画像で表現されるボタン）が操作者によって押下されると、表示部６ｂは、メニュー画面を、ＭＦＰ１０の各種動作内容の設定画面に切り換える。換言すれば、表示部６ｂは、メニュー画面に代えて当該設定画面をタッチパネル２５に表示する。タッチパネル２５に表示された当該設定画面において、ユーザは、ＭＦＰ１０の各種動作内容を設定することなどが可能である。
【００３１】
コントローラ９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ）内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体、あるいはネットワーク等を介してＭＦＰ１０にインストールされてもよい。
【００３２】
具体的には、図２に示すように、コントローラ９は、当該プログラムの実行により、入力制御部１１と表示制御部１２と判定部１３とを含む各種の処理部を実現する。
【００３３】
入力制御部１１は、操作入力部６ａ（タッチパネル２５等）に対する操作入力動作を制御する制御部である。たとえば、入力制御部１１は、タッチパネル２５に表示された操作画面に対する操作入力を受け付ける動作を制御する。
【００３４】
表示制御部１２は、表示部６ｂ（タッチパネル２５等）における表示動作を制御する処理部である。表示制御部１２は、タッチパネル２５に各種の情報を表示する動作等を制御する。また、表示制御部１２は、電子付箋をタッチパネル２５を表示する動作等をも制御する。
【００３５】
判定部１３は、電子付箋を有する或る表示画面（第１の表示画面あるいは遷移前画面とも称する）が別の表示画面（第２の表示画面あるいは遷移後画面とも称する）へと遷移する際に当該電子付箋が遷移後画面において遷移前画面での表示位置と同じ位置に表示されると仮定する場合に、遷移前画面における電子付箋と遷移後画面内のボタン（あるいは文字列等）とが重なるか否か、を判定する動作等を制御する。
【００３６】
＜１−２．電子付箋の付加＞
図３は、電子付箋が表示されたトップメニュー画面２０１を示す図である。図３のトップメニュー画面２０１においては、各種ボタン３０１〜３０４に加えて、ユーザにより付加された電子付箋５０１，５０２が表示されている。以下では、ユーザにより既に付加（登録）された電子付箋５０１，５０２に加えて、新たな電子付箋５０３が更に付加（登録）される動作（追加動作（追加登録動作））について説明する。
【００３７】
当該トップメニュー画面２０１において、設定メニューボタン３０４をユーザが押下すると、いくつかの画面を経て、付箋設定画面２０２（図４）がタッチパネル２５に表示される。この付箋設定画面２０２には、登録済みの電子付箋（ここでは、電子付箋５０１，５０２）と各種ボタン（ボタン３１１〜３１５）とが表示される。
【００３８】
付箋設定画面２０２において新規登録ボタン３１１をユーザが押下すると、ＭＦＰ１０は、電子付箋の新規登録画面２０３をタッチパネル２５に表示する（図５参照）。当該新規登録画面２０３にはメッセージ入力欄４０１が表示され、ユーザは、当該メッセージ入力欄４０１において、表示画面に表示させたいメッセージを入力することができる。図５では、「社内資料は集約して印刷してください」とのメッセージ（文字列）が入力されている。ユーザが、当該メッセージを入力してＯＫボタン３２２を押下すると、ＭＦＰ１０は、新たな電子付箋の情報（メッセージのテキスト情報等）を生成し格納部５に格納する。これにより、新たな電子付箋がＭＦＰ１０に登録される。
【００３９】
そして、付箋設定画面２０４がタッチパネル２５に表示される（図６参照）。この付箋設定画面２０４においては、登録済みの電子付箋５０１，５０２に加えて、新たに登録された電子付箋５０３が表示される。当該電子付箋５０３の表示領域内には、メッセージ入力欄４０１においてユーザにより入力されたメッセージ（「社内資料は集約して印刷してください」）が表示される。
【００４０】
その後、付箋設定画面２０４において、ユーザがＯＫボタン３１５を押下すると、トップメニュー画面２０５がタッチパネル２５に表示される。図７は、新たな電子付箋５０３が付加されたトップメニュー画面２０５を示す図である。図７に示すように、新たな電子付箋（ここでは、電子付箋５０３）は、表示画面内の所定の基準位置（ここでは、トップメニュー画面２０５内の左上の位置）に表示制御部１２によって表示される。
【００４１】
ここにおいて、ユーザが電子付箋を所望の位置に移動させたい場合には、ユーザは当該電子付箋をドラッグアンドドロップ操作によって移動させる。図８は、ユーザのドラッグアンドドロップ操作によって新たな電子付箋５０３が移動される様子を示す図である。
【００４２】
そして、図９に示すように、トップメニュー画面２０６において、新たな電子付箋５０３がユーザの所望の位置に表示される。
【００４３】
このように、ＭＦＰ１０（表示制御部１２等）は、ユーザのドラッグアンドドロップ操作に応じて、電子付箋５０３の表示位置をトップメニュー画面２０６内において変更することも可能である。このような移動操作によって変更された、電子付箋５０３の表示位置（座標値）は、（更新後の）当該電子付箋５０３の情報（詳細にはその一部）として格納部５に格納される。
【００４４】
＜１−３．動作＞
つぎに、タッチパネル２５での表示画面が遷移前画面から遷移後画面へと遷移する際における電子付箋の表示動作について説明する。
【００４５】
第１実施形態においては、電子付箋が遷移後画面において遷移前画面での表示位置と同じ位置に表示されると仮定する場合に遷移前画面における電子付箋と遷移後画面内のボタン（操作入力要素）とが重なるか否か、が判定される。そして、遷移後画面内のボタンと重ならない旨が判定された電子付箋は遷移後画面において引き続き表示され、遷移後画面内のボタンと重なる旨が判定された電子付箋は遷移後画面において表示されず、付箋ボタン（後述）が遷移後画面内のボタンと重ならないように表示される。
【００４６】
図１０は、第１実施形態に係るＭＦＰ１０の動作を示すフローチャートである。
【００４７】
ステップＳ１１において、ＭＦＰ１０は、画面遷移の指示が受け付けられたか否かを判定する。詳細には、タッチパネル２５に表示させる画面を遷移前画面から遷移後画面へと遷移させる旨の指示がユーザによって受け付けられた否か、が判定される。画面遷移の指示が受け付けられた旨が判定される場合には、処理はステップＳ１２へと進み、画面遷移の指示が受け付けられない旨が判定される場合には、処理はステップＳ１７へと進む。
【００４８】
たとえば、トップメニュー画面２０６（図９）において、コピーボタン３０１がユーザにより押下されると、トップメニュー画面２０６（遷移前画面）からコピーに関する設定画面２０７（遷移後画面）への画面遷移の指示が受け付けられた旨がステップＳ１１において判定される。そして、処理はステップＳ１２へと進む。
【００４９】
ステップＳ１２からステップＳ１５においては、トップメニュー画面２０６に表示されていた複数の電子付箋５０１〜５０３のそれぞれが、設定画面２０７における「表示対象付箋」（後述）であるか「非表示対象付箋」（後述）であるか、が判定される。
【００５０】
具体的には、ステップＳ１２においては、ｉ（ｉ＝１，...，Ｎ）番目の電子付箋が設定画面２０７においてトップメニュー画面２０６での表示位置と同じ位置に表示されると仮定した場合にｉ番目の電子付箋と設定画面２０７内のボタン３３１〜３３７（詳細には当該ボタン３３１〜３３７のいずれか）とが重なるか否か、が判定部１３により判定される。なお、値Ｎは遷移前画面に表示されている電子付箋の個数（ここではＮ＝３）である。
【００５１】
当該電子付箋が設定画面２０７内のいずれかのボタン３３１〜３３７と重なる旨が判定される場合には、当該ボタン３３１〜３３７と重なる旨が判定された電子付箋が「非表示対象付箋」（設定画面２０７における表示対象ではない電子付箋）として決定される（ステップＳ１３）。一方、当該電子付箋が設定画面２０７内のいずれのボタン３３１〜３３７とも重ならない旨が判定される場合には、当該ボタン３３１〜３３７と重ならない旨が判定された電子付箋が「表示対象付箋」（設定画面２０７における表示対象である電子付箋）として決定される（ステップＳ１４）。
【００５２】
ステップＳ１５においては、全ての電子付箋（ここでは３つの電子付箋５０１〜５０３）に対してステップＳ１２の処理が行われたか否かが判定される。全ての電子付箋に対してステップＳ１２の処理が行われていない旨が判定される場合には処理は再びステップＳ１２へと戻り、全ての電子付箋に対してステップＳ１２の処理が行われた旨が判定される場合には処理はステップＳ１６へと進む。
【００５３】
図１１は、トップメニュー画面２０６（図９）から設定画面２０７（図１３）への仮想的な画面遷移状態を示す図である。図１１においては、トップメニュー画面２０６に表示されていた電子付箋５０１〜５０３が、設定画面２０７においても、トップメニュー画面２０６における電子付箋５０１〜５０３の表示位置にそのまま表示される仮想的な状態が示されている。当該仮想的な画面遷移状態における電子付箋５０１〜５０３に対してステップＳ１２〜Ｓ１５の処理が行われる。
【００５４】
まず、１番目の電子付箋５０１について説明する。
【００５５】
図１１に示すように、仮に１番目の電子付箋５０１が元の表示位置にてそのまま表示される場合には、電子付箋５０１は設定画面２０７内の用紙設定ボタン３３４および倍率設定ボタン３３５の双方と重なる。そのため、ユーザは当該ボタン３３４，３３５を押下し難く、操作性が低下する。
【００５６】
これに対して、この実施形態においては、電子付箋５０１が設定画面２０７においてトップメニュー画面２０６での表示位置と同じ位置に表示されると仮定する場合に電子付箋５０１と設定画面２０７内のいずれかのボタン（３３１〜３３７）とが重なる旨が判定され（ステップＳ１２）、処理はステップＳ１３へと進む。ステップＳ１３においては、設定画面２０７内のボタン３３１〜３３７と重なる旨が判定された電子付箋５０１が「非表示対象付箋」として決定される。後述するように、非表示対象付箋である電子付箋５０１は設定画面２０７には表示されない（ステップＳ１６）ので、操作性の低下を回避することが可能である。
【００５７】
つぎに、２番目の電子付箋５０２について説明する。
【００５８】
図１１に示すように、仮に２番目の電子付箋５０２が元の表示位置にてそのまま表示されるとしても、電子付箋５０２は設定画面２０７内のいずれのボタン３３１〜３３７とも重ならない。そのため、設定画面２０７内の各ボタン３３１〜３３７に対する操作性は低下しない。
【００５９】
このような事情を反映して、電子付箋５０２に関しては、当該電子付箋５０２と設定画面２０７内のいずれのボタン３３１〜３３７とも重ならない旨が判定され（ステップＳ１２）、処理はステップＳ１４へと進む。ステップＳ１４においては、設定画面２０７内のボタン３３１〜３３７と重ならない旨が判定された電子付箋５０２が「表示対象付箋」として決定される。
【００６０】
さらに、３番目の電子付箋５０３について説明する。
【００６１】
図１１に示すように、仮に電子付箋５０３が元の表示位置にてそのまま表示される場合には、電子付箋５０３は設定画面２０７内の原稿画質設定ボタン３３１およびカラー設定ボタン３３２と重なる。そのため、ユーザは当該ボタン３３１，３３２を押下し難く、操作性が低下する。
【００６２】
これに対して、この実施形態においては、３番目の電子付箋５０３と設定画面２０７内のいずれかのボタン（３３１〜３３７）とが重なる旨が判定され（ステップＳ１２）、処理はステップＳ１３へと進む。ステップＳ１３においては、設定画面２０７内のいずれかのボタン（３３１〜３３７）と重なる旨が判定された電子付箋５０３が「非表示対象付箋」として決定される。後述するように、電子付箋５０３（非表示対象付箋）は設定画面２０７には表示されない（ステップＳ１６）ので、操作性の低下を回避することが可能である。
【００６３】
そして、全ての電子付箋５０１〜５０３に対してステップＳ１２の処理が行われた旨がステップＳ１５において判定され、処理はステップＳ１６へと進む。
【００６４】
ステップＳ１６においては、ステップＳ１３，Ｓ１４での判定結果を反映した遷移後画面（ここでは設定画面２０７）が表示制御部１２等によってタッチパネル２５に表示される（図１３参照）。具体的には、まず、「表示対象付箋」であると判定された電子付箋（５０２）は、設定画面２０７においても、トップメニュー画面２０６における表示位置にそのまま表示される。また、「非表示対象付箋」であると判定された電子付箋（５０１，５０３）は、設定画面２０７に表示されない。さらに、「非表示対象付箋」が存在する場合には、付箋ボタン（後述）が、設定画面２０７内の各種のボタン（３３１〜３３７）と（詳細には当該ボタンのいずれとも）重ならないように、設定画面２０７において表示される。なお、「非表示対象付箋」が存在しない場合には、付箋ボタンは遷移後画面において表示されない。ただし、これに限定されず、「非表示対象付箋」が存在しない場合であっても、付箋ボタンが遷移後画面において表示されるようにしてもよい。
【００６５】
図１３は、ステップＳ１３，Ｓ１４での判定結果が反映された設定画面２０７である。当該設定画面２０７は、トップメニュー画面２０６（図９）においてユーザによるコピーボタン３０１の押下操作が受け付けられた後にタッチパネル２５に表示される画面である。
【００６６】
図１３に示すように、表示対象付箋と決定された電子付箋（すなわち、設定画面２０７内のボタン３３１〜３３７と重ならない旨が判定された電子付箋）５０２は、当該設定画面２０７において、トップメニュー画面２０６における当該電子付箋５０２の表示位置に表示される。換言すると、トップメニュー画面２０６において表示された電子付箋５０２が、その表示位置を保持した状態で引き続き設定画面２０７において表示される。
【００６７】
また、当該設定画面２０７において、非表示対象付箋と決定された電子付箋（すなわち、設定画面２０７内のボタン３３１〜３３７と重なる旨が判定された電子付箋）５０１，５０３は表示されない。当該設定画面２０７においては、これらの電子付箋５０１，５０３に代えて、付箋ボタン５５１が表示される。また、表示制御部１２は、この付箋ボタン５５１を、当該設定画面２０７内のボタン３３１〜３３７の座標情報等に基づいて当該ボタン３３１〜３３７のいずれとも重ならないように表示する。
【００６８】
具体的には、付箋ボタン５５１は、設定画面２０７内の各ボタン（画面構成要素）３３１〜３３７の配置情報（座標情報）等に基づいて当該設定画面２０７内の空き領域（当該ボタン３３１〜３３７が配置されていない領域）に表示される。
【００６９】
より詳細には、付箋ボタン５５１の表示位置は以下のようにして決定される。
【００７０】
まず、付箋ボタン５５１のサイズ（Ｘ方向長さおよびＹ方向長さ）が、たとえば、予め定められた基準サイズ（固定値）に決定される。なお、付箋ボタン５５１のサイズは、非表示対象付箋のサイズに応じて適宜の値（可変値）に決定されるようにしてもよい。
【００７１】
つぎに、付箋ボタン５５１が設定画面２０７内の座標値（Ｘ０，Ｙ０）に（暫定的且つ）仮想的に配置される（図１２参照）。換言すれば、付箋ボタン５５１は、暫定的な表示位置（暫定位置）（詳細には、その初期位置（Ｘ０，Ｙ０））に仮想的に配置される。値Ｘ０，Ｙ０は、それぞれ、微小な値（たとえば、１０）に定められればよい。
【００７２】
そして、暫定位置（座標値（Ｘ０，Ｙ０））に仮想的に配置された付箋ボタン５５１が設定画面２０７内のボタン３３１〜３３７と重なるか否かが、当該付箋ボタン５５１のサイズおよび当該ボタン３３１〜３３７の座標情報等に基づいて判定される。
【００７３】
当該付箋ボタン５５１と当該ボタン３３１〜３３７とが重ならない旨が判定される場合には、ＭＦＰ１０は、当該暫定位置の座標値（Ｘ０，Ｙ０）を付箋ボタン５５１の最終的な表示位置として決定する。
【００７４】
一方、当該付箋ボタン５５１と当該ボタン３３１〜３３７とが重なる旨が判定される場合には、ＭＦＰ１０は、当該付箋ボタン５５１を（Ｘ軸方向に沿って）右向きに値ΔＸ（たとえば値「１０」）移動する。すなわち、付箋ボタン５５１の暫定位置が更新され、付箋ボタン５５１が座標値（Ｘ０＋ΔＸ，Ｙ０）に（暫定的且つ）仮想的に配置される（図１２の破線で示す位置に仮想的に配置される）。そして、更新された暫定位置（座標値（Ｘ０＋ΔＸ，Ｙ０））に仮想的に配置された付箋ボタン５５１に対して同様の判定処理が再び行われる。この判定処理は、暫定位置に配置された付箋ボタン５５１が設定画面２０７内のボタン３３１〜３３７と重ならない旨が判定されるまで、あるいは当該付箋ボタン５５１が設定画面２０７内の右側終端に到達するまで、値ΔＸの増分移動を伴いつつ繰り返し行われる。
【００７５】
暫定位置に配置された付箋ボタン５５１が設定画面２０７内のボタン３３１〜３３７と重ならない旨が判定されると、当該判定処理は終了し、終了時点における暫定位置の座標値が付箋ボタン５５１の最終的な表示位置として決定される。
【００７６】
また、付箋ボタン５５１が設定画面２０７内の右側終端に到達すると、ＭＦＰ１０は、付箋ボタン５５１の暫定位置のＸ座標値を値Ｘ０に戻すとともに当該付箋ボタン５５１を（Ｙ軸方向に沿って）下向きに値ΔＹ（たとえば値「５」）移動する。すなわち、付箋ボタン５５１の暫定位置が更新され、付箋ボタン５５１が座標値（Ｘ０，Ｙ０＋ΔＹ）に（暫定的且つ）仮想的に配置される（図１２の二点鎖線で示す位置に仮想的に配置される）。そして、更新された暫定位置に配置された付箋ボタン５５１に対して再び上記の判定処理が、値ΔＸの増分移動を伴いつつ繰り返し行われる。さらに、以上のような処理（値ΔＸの増分移動を伴いつつ行われる判定処理）が、値ΔＹの増分移動を伴いつつ繰り返し行われる。
【００７７】
このようにして付箋ボタン５５１の表示位置は決定される。たとえば、図１３に示すような場合には、最初の暫定位置（座標値（Ｘ０，Ｙ０））に仮想的に配置された付箋ボタン５５１と設定画面２０７内のボタン３３１〜３３７とが重ならない旨が判定され、当該暫定位置の座標値（Ｘ０，Ｙ０）が付箋ボタン５５１の表示位置として決定される。
【００７８】
ここにおいて、付箋ボタン５５１の表示面積（およびサイズ）は電子付箋（非表示対象付箋）の表示面積（およびサイズ）よりも小さいことが好ましい。また、表示面積の異なる複数の電子付箋（複数の非表示対象付箋）が存在する場合には、付箋ボタン５５１の表示面積は、複数の非表示対象付箋のうち、最も大きな（表示面積を有する）電子付箋の表示面積よりも小さいことが好ましい。付箋ボタンの表示面積が比較的小さいことによって、設定画面２０７（遷移後画面）内のボタン（３３１〜３３７）と当該付箋ボタン５５１が重ならない位置が比較的容易に決定され得る。特に、付箋ボタン５５１の表示面積は、複数の非表示対象付箋のうち、最も小さな（表示面積を有する）電子付箋の表示面積よりも更に小さいことがより好ましい。
【００７９】
また、複数の電子付箋と遷移後画面内のいずれかのボタンとが重なる旨が判定される場合には、表示制御部１２は、遷移後画面において、遷移後画面内のいずれかのボタンと重なる旨が判定された複数の電子付箋（複数の非表示対象付箋）を表示せず、当該複数の非表示対象付箋に代えて単一の付箋ボタンを表示することが好ましい。単一の付箋ボタンは、遷移後画面内のボタンのいずれとも重ならないように表示される。
【００８０】
具体的には、図１３に示すように、設定画面２０７において、設定画面２０７内のいずれかのボタン（３３１〜３３７）と重なる旨が判定された複数の電子付箋５０１，５０３は表示されず、単一の付箋ボタン５５１が設定画面２０７内のボタン３３１〜３３７のいずれとも重ならないように表示される。換言すれば、当該複数の電子付箋５０１，５０３に代えて、単一の付箋ボタン５５１が設定画面２０７に表示される。
【００８１】
その後、ステップＳ１７において、付箋ボタン５５１が押下されたか否かが判定される。付箋ボタン５５１が押下された旨が判定される場合には、処理はステップＳ１８へと進み、付箋ボタン５５１が押下されていない旨が判定される場合には、処理はステップＳ１１へと戻る。ここでは、付箋ボタン５５１が押下された旨が判定される状況を想定する。
【００８２】
付箋ボタン５５１がユーザによって押下された旨が判定されると、表示制御部１２は、設定画面２０７において、非表示対象付箋と判定され非表示状態にされていた電子付箋（ここでは電子付箋５０１，５０３）を表示する（ステップＳ１８）（図１４も参照）。すなわち、電子付箋５０１，５０３の状態は、非表示状態から表示状態へと変更される。また、当該電子付箋（非表示対象付箋）５０１，５０３は、設定画面２０７において、トップメニュー画面２０６（図９）におけるそれぞれの表示位置（元の表示位置）に表示される。このように、設定画面２０７において、非表示対象付箋（５０１，５０３）はトップメニュー画面２０６におけるそれぞれの表示位置に（復活して）表示される。これにより、ユーザは電子付箋５０１，５０３のメッセージ内容を確認することができる。
【００８３】
なお、付箋ボタン５５１は、設定画面２０７内のボタン３３１〜３３７と重なる旨が判定された電子付箋５０１，５０３に関する表示指示を受け付けるボタンであることから、付箋ボタン５５１は、非表示対象付箋に関する表示指示ボタン、などとも称される。
【００８４】
ここにおいて、表示制御部１２は、電子付箋５０１，５０３を設定画面２０７に表示した（ステップＳ１８）後も、付箋ボタン５５１を設定画面２０７に表示し続ける。そして、付箋ボタン５５１がユーザにより再度押下されると、表示制御部１２は電子付箋５０１，５０３を再び非表示とする。付箋ボタン５５１は、一旦表示された非表示対象付箋を再び非表示状態に戻す指示（再非表示指示）を受け付けるボタンとしても機能する。
【００８５】
以上のような動作によれば、設定画面２０７において、設定画面２０７内のボタン３３１〜３３７と重なる旨が判定された電子付箋５０１，５０３は表示されず、付箋ボタン５５１が設定画面２０７内のボタン３３１〜３３７と重ならないように表示される。したがって、設定画面２０７（遷移後画面）において、トップメニュー画面２０６（遷移前画面）における電子付箋が設定画面２０７内のボタン３３１〜３３７と重なることを回避することが可能である。その結果、トップメニュー画面２０６における電子付箋が設定画面２０７内のボタン３３１〜３３７と重なることに起因して操作画面の操作性が悪化することを回避することが可能である。
【００８６】
なお、上記第１実施形態においては、遷移後画面における操作入力要素（遷移後画面を構成する複数の要素（画面構成要素）のうちの操作入力要素（ユーザによる操作入力を受け付ける要素（画面構成要素）））として、「ボタン」を例示している。しかしながら、これに限定されず、遷移後画面における操作入力要素は、その他の要素（たとえば、設定値調整用の「スライドバー」等）であってもよい。
【００８７】
＜２．第２実施形態＞
上記第１実施形態では、遷移前画面における電子付箋と遷移後画面内の「ボタン」（操作入力要素）とが重なるか否かが判定される態様を例示した。
【００８８】
これに対して、第２実施形態では、遷移前画面における電子付箋と遷移後画面内の「文字列」（情報表示要素）とが重なるか否かが判定される態様を例示する。ここでは、遷移後画面を構成する複数の要素（画面構成要素）のうちの情報表示要素（各種の情報を表示する要素（画面構成要素））として、「文字列」を例示する。
【００８９】
なお、第２実施形態は、第１実施形態の変形例である。以下では、第１実施形態との相違点を中心に説明する。
【００９０】
図１５は、第２実施形態に係るＭＦＰ１０の動作を示すフローチャートである。
【００９１】
また、図１６は、トップメニュー画面２０８を示す図である。このトップメニュー画面２０８においては、２つの電子付箋５０１，５０２が表示されている。
【００９２】
第２実施形態では、ＭＦＰ１０のヘルプ機能（検索機能）において、ＭＦＰ１０内の機能を検索するためにユーザが検索画面をタッチパネル２５に表示させる状況を想定する。たとえば、当該トップメニュー画面２０８（図１６）がタッチパネル２５に表示されている状態において、操作パネル部６ｃに配置された検索ボタン（ハードウエアボタン）（不図示）をユーザが押下すると、トップメニュー画面２０８から検索画面２０９（図１７）への画面遷移の指示が受け付けられた旨がステップＳ１１において判定される。
【００９３】
そして、１番目の電子付箋５０１および２番目の電子付箋５０２が検索画面２０９内のいずれの文字列とも重ならない旨がそれぞれ判定され（ステップＳ２２）、当該電子付箋５０１，５０２は表示対象付箋としてそれぞれ決定される（ステップＳ２４）。
【００９４】
その後、ステップＳ２５を経てステップＳ２６に進み、表示制御部１２は、検索画面２０９において、表示対象付箋として決定された電子付箋５０１，５０２を、トップメニュー画面２０８（図１６）における電子付箋５０１，５０２の表示位置に表示する（図１７参照）。
【００９５】
このようにして、トップメニュー画面２０８（遷移前画面）から検索画面２０９（遷移後画面）への画面遷移が生じる。なお、ここでは、検索画面２０９内の文字列と重なる旨が判定された電子付箋が存在しないため、表示制御部１２は、検索画面２０９において付箋ボタンを表示しない。
【００９６】
つぎに、当該検索画面２０９（図１７）において、ユーザが、キーボード４５０を用いて、検索文字入力欄４１１に検索文字列「原稿」を入力する状況を想定する。検索画面２０９の検索文字入力欄４１１において検索文字列「原稿」が入力されると、再び図１５の動作が実行される。具体的には、画面遷移の指示が受け付けられたものと判定され（ステップＳ１１）、ステップＳ２２〜ステップＳ２５を経て、検索結果を示す検索結果画面２１０へと画面が遷移する（ステップＳ２６）。換言すれば、検索画面２０９（遷移前画面）から検索結果画面２１０（遷移後画面）への画面遷移が生じる。
【００９７】
図１８は、検索画面２０９（図１７）から検索結果画面２１０（図１９）への仮想的な画面遷移状態を示す図である。図１８においては、検索画面２０９に表示されていた電子付箋５０１，５０２が、検索結果画面２１０においても、検索画面２０９における電子付箋５０１，５０２の表示位置にそのまま表示される仮想的な状態が示されている。
【００９８】
図１８に示すように、当該仮想的な画面遷移状態においては（電子付箋５０１，５０２が、検索結果画面２１０において、検索画面２０９での表示位置と同じ位置に表示されると仮定する場合には）、電子付箋５０１，５０２は検索結果画面２１０内の文字列とそれぞれ重なる。そのため、ユーザは検索結果画面２１０内の一部の文字列を視認し難く、操作性が低下する。
【００９９】
これに対して、この実施形態においては、１番目の電子付箋５０１および２番目の電子付箋５０２は検索結果画面２１０内の文字列と重なる旨がそれぞれ判定され（ステップＳ２２（図１５））、当該電子付箋５０１，５０２が非表示対象付箋としてそれぞれ決定される（ステップＳ２３）。後述するように、電子付箋５０１，５０２（非表示対象付箋）が検索結果画面２１０に表示されないことにより、操作性の低下を回避することが可能である。
【０１００】
そして、表示制御部１２は、図１９に示すような検索結果画面２１０を表示する（ステップＳ２６）。検索結果画面２１０においては、非表示対象付箋として決定された電子付箋（すなわち、検索結果画面２１０内の文字列と重なる旨が判定された電子付箋）５０１，５０２は表示されず、且つ、検索結果画面２１０内の文字列と重ならないように付箋ボタン５５２が表示される。
【０１０１】
これによれば、検索結果画面２１０において、検索結果画面２１０内の文字列と重なる旨が判定された電子付箋５０１，５０２は表示されず、付箋ボタン５５２が、検索結果画面２１０内の文字列と重ならないように表示される。したがって、検索結果画面２１０において、検索画面２０９（遷移前画面）における電子付箋５０１，５０２が検索結果画面２１０（遷移後画面）内の文字列と重なることを回避することが可能である。その結果、検索画面２０９における電子付箋５０１，５０２が検索結果画面２１０内の文字列と重なることに起因して文字列の視認性が悪化することを回避することが可能である。
【０１０２】
なお、上記第２実施形態においては、遷移後画面における情報表示要素として、「文字列」を例示しているが、これに限定されず、遷移後画面における情報表示要素は、その他の要素（たとえば、画像（アイコンを含む）など）であってもよい。
【０１０３】
＜３．変形例等＞
以上、この発明の実施の形態について説明したが、この発明は上記内容のものに限定されるものではない。
【０１０４】
たとえば、上記各実施形態では、付箋ボタン５５１，５５２の表示領域内には文字列「付箋ＢＯＸ」のみが表示されている（図１３、図１９参照）が、これに限定されない。たとえば、図２０に示すように、非表示対象付箋の個数もが付箋ボタン（５５３）の表示領域内に表示制御部１２等によって表示されるようにしてもよい。図２０では、付箋ボタン５５３の表示領域内に、遷移後画面内のボタン（文字列）と重なる旨が判定された電子付箋の個数（ここでは、「２」個）が、文字列「付箋ＢＯＸ」に引き続く括弧内に表示されている。
【０１０５】
また、付箋ボタンの表示領域内の表示内容は、文字列「付箋ＢＯＸ」以外の文字列、たとえば、図２１に示すように、文字列「付箋表示ボタン」であってもよい。当該文字列「付箋表示ボタン」は、当該ボタンを押すと電子付箋を閲覧できることを示す文字列、あるいは、電子付箋の存在を示す文字列であるとも表現される。
【０１０６】
また、図２２に示すように、付箋ボタンは、電子付箋の存在等を示す付箋アイコン５５５として表示されるようにしてもよい。換言すれば、付箋ボタンの表示領域内の表示内容は、文字列に限定されず、図形等であってもよい。また、付箋ボタンの表示領域内の表示内容は、文字列に加えて図形等が表示されるようにしてもよい。
【０１０７】
また、上記各実施形態では、ユーザによる付箋ボタンの押下操作が受け付けられると、遷移後画面内のボタン（あるいは文字列等）と重なる旨が判定された電子付箋が、遷移後画面において、遷移前画面における当該電子付箋のそれぞれの表示位置に表示される（図１４も参照）態様を例示したが、これに限定されない。
【０１０８】
たとえば、操作者による付箋ボタンの押下操作が受け付けられると、遷移後画面内のボタン（あるいは文字列等）と重なる旨が判定された電子付箋（非表示対象付箋）に関する一覧画面が表示制御部１２によってタッチパネル２５に表示されるようにしてもよい。
【０１０９】
図２３は、第１実施形態に対してこのような改変を施して得られる一覧画面２１４を示す図である。図２３に示すように、表示制御部１２は、ステップＳ１３において非表示対象付箋として決定された電子付箋（非表示状態にされていた電子付箋）５０１，５０３に関する一覧画面２１４をタッチパネル２５に表示すればよい。なお、第２実施形態に関しても同様の改変を施すことが可能である。
【０１１０】
また、ここでは、当該一覧画面２１４は遷移後画面に代えてタッチパネル２５に表示される態様を例示したが、これに限定されず、一覧画面２１４は遷移後画面に重畳して表示されるようにしてもよい。
【０１１１】
また、ここでは、表示対象付箋（遷移後画面内のボタン（あるいは文字列）と重ならない旨が判定された電子付箋）５０２は、一覧画面２１４に表示されていないが、これに限定されず、当該一覧画面２１４において表示対象付箋５０２もが表示されるようにしてもよい。すなわち、ＭＦＰ１０に登録されている電子付箋の全てが一覧画面２１４に表示されるようにしてもよい。
【０１１２】
また、上記第１実施形態では操作入力要素（ボタン）と電子付箋との重なりが考慮され、上記第２実施形態では情報表示要素（文字列）と電子付箋との重なりが考慮されている。換言すれば、操作入力要素および情報表示要素の両要素のうちの一方のみと電子付箋との重なりがそれぞれ考慮されている。しかしながら、本発明は、これに限定されず、操作入力要素および情報表示要素の両要素のうちの双方（たとえば、ボタンと文字列との双方）と電子付箋との重なりが考慮されるようにしてもよい。
【０１１３】
このように、操作入力要素および操作入力要素のうちの少なくとも一方の要素である特定要素と電子付箋との重なりが考慮されればよい。
【０１１４】
また、上記各実施形態においては、遷移後画面内の特定要素（ボタンおよび／または文字列等）と重なる旨が判定された電子付箋は、遷移後画面において表示されず、付箋ボタンが当該特定要素と重ならないように表示される態様を例示したが、これに限定されない。
【０１１５】
たとえば、表示制御部１２は、遷移後画面内の操作入力要素および情報表示要素の両要素のうちの少なくとも一方の要素（特定要素）と重なる旨が判定された電子付箋を縮小し、遷移後画面において、縮小された当該電子付箋を当該特定要素に重ならないように表示するようにしてもよい。すなわち、遷移後画面内の特定要素と重なる旨が判定された電子付箋を、当該特定要素に重ならないように、縮小して表示するようにしてもよい。
【０１１６】
図２４は、このような改変例に係る設定画面２０７を示す図である。電子付箋５０１〜５０３が設定画面２０７（遷移後画面）においてトップメニュー画面２０６（遷移前画面）での表示位置と同じ位置に表示されると仮定する場合に電子付箋５０１〜５０３と設定画面２０７内のボタン３３１〜３３７とが重なるか否か、が判定される。そして、図２４に示すように、表示制御部１２は、設定画面２０７内のいずれかのボタン３３１〜３３７と重なる旨が判定された電子付箋５０１，５０３を縮小し、縮小された電子付箋５１１，５１３を設定画面２０７内のボタン３３１〜３３７のいずれとも重ならないように表示するようにしてもよい。
【０１１７】
これによれば、トップメニュー画面２０６（遷移前画面）における電子付箋が、設定画面２０７（遷移後画面）において、設定画面２０７内のボタン３３１〜３３７と重なることを回避することが可能である。したがって、当該電子付箋と設定画面２０７内のボタン３３１〜３３７とが設定画面２０７にて重なることに起因する操作性の低下を回避することが可能である。
【０１１８】
また、情報表示要素（文字列等）と電子付箋との重なりが考慮される態様に関しても同様の改変を行うことが可能である。さらに、操作入力要素（ボタン等）および情報表示要素（文字列等）のうちの双方と電子付箋との重なりが同時に考慮される態様に関しても同様の改変を行うことが可能である。
【０１１９】
また、上記各実施形態等においては、遷移前画面における電子付箋が遷移後画面内の特定要素（ボタンおよび／または文字列等）の上面側に（重畳されて）配置されて電子付箋と当該特定要素とが重なる旨が判定される場合について例示しているが、これに限定されない。当該電子付箋が特定要素（ボタンおよび／または文字列等）の下面側（背面側）に配置されて電子付箋と当該特定要素とが重なる旨が判定される場合にも、上記の各思想を適用することが可能である。
【０１２０】
たとえば、或る文字入力画面（遷移後画面）において、半透明のキーボード画像の下面側（背面側）に電子付箋が配置されて表示される場合には、当該キーボード画像の文字ボタンの下側に電子付箋が表示され、当該文字ボタンの視認性が悪化し得る。このような場合に上記と同様の思想を適用してもよい。詳細には、当該文字入力画面において、当該文字ボタンの下面側に重なる旨が判定された電子付箋は表示されず、当該電子付箋に代えて付箋ボタンが当該文字ボタンと重ならないように表示されるようにしてもよい。
【符号の説明】
【０１２１】
１０  ＭＦＰ（画像形成装置）
２５  タッチパネル
２０１〜２１５  表示画面
５０１〜５０３，５１１，５１３  電子付箋
５５１〜５５４  付箋ボタン
【図１】
2015184893.tif 000003
【図２】
2015184893.tif 000004
【図４】
2015184893.tif 000005
【図５】
2015184893.tif 000006
【図６】
2015184893.tif 000007
【図１０】
2015184893.tif 000008
【図１２】
2015184893.tif 000009
【図１５】
2015184893.tif 000010
【図１９】
2015184893.tif 000011
【図２３】
2015184893.tif 000012
【図３】
2015184893.tif 000013
【図７】
2015184893.tif 000014
【図８】
2015184893.tif 000015
【図９】
2015184893.tif 000016
【図１１】
2015184893.tif 000017
【図１３】
2015184893.tif 000018
【図１４】
2015184893.tif 000019
【図１６】
2015184893.tif 000020
【図１７】
2015184893.tif 000021
【図１８】
2015184893.tif 000022
【図２０】
2015184893.tif 000023
【図２１】
2015184893.tif 000024
【図２２】
2015184893.tif 000025
【図２４】
2015184893.tif 000026